(57)【要約】  開示しているのは、複数の回路端部及び複数の検出器を有する回路に接続されたハザード検出器であり、検出器は複数の回路端部の中間に接続され、回路ドライバは、回路がループ回路を形成するように複数の回路端部に接続され、回路ドライバは、第１の回路端部及び第２の回路端部に選択的に電力を提供するように１つ以上の電源を制御し、検出器は、開放時、検出器の下流で電気導通性を遮断する短絡アイソレータスイッチを有し、検出器は、電力を受け取り、スイッチを閉じ、１つ以上の回路パラメータを測定し、１つ以上のパラメータに基づいて短絡があるかどうかを判断することによって、起動時に短絡があるか走査する。
2021534475.tif 000002
【特許請求の範囲】
【請求項１】
回路（２０）に電気的に接続されたハザード検出器（１０）であって、
前記回路（２０）が、
第１の端部（２５）及び第２の端部（３０）を含む複数の回路端部、ならびに前記複数の回路端部の中間に接続される前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を含み、
前記検出器（１０）が、
第２のコントローラ（６５）、及び開放時、前記検出器（１０）の下流で電気導通性を遮断する短絡アイソレータスイッチであるスイッチ（７０）を備え、前記検出器（１０）が、
電力を受け取ること、
前記スイッチ（７０）を閉じること、
１つ以上の回路パラメータを測定すること、及び
前記１つ以上のパラメータに基づいて、短絡があるかどうかを判断する
ことによって起動時に短絡があるか走査し、
短絡があるとき、前記検出器（１０）が、前記短絡を識別する第１の回路通信を送信する、
前記ハザード検出器（１０）。
【請求項２】
前記検出器（１０）が、電力供給時、
電力を受け取ってからの経過時間量及び一意の検出器識別子を要求する第２の回路通信を受け取ること、及び
前記経過時間量及び前記一意の検出器識別子を含む、前記第２の回路通信に応答する第３の回路通信を送信すること
によって、ステータスを提供する、請求項１に記載の検出器（１０）。
【請求項３】
回路（２０）であって、
第１の端部（２５）及び第２の端部（３０）を含む複数の回路端部、ならびに前記複数の回路端部の中間に接続された請求項１または２のいずれかに記載の前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を備え、
前記回路ドライバ（４５）が、
前記第１の端部（２５）に電力を伝送すること、
前記第２の端部（３０）を監視すること
によって、起動中に回路導通性を走査し、
前記回路ドライバ（４５）が、前記第２の端部（３０）で電力を検知すると、前記回路ドライバ（４５）が、導通性が存在すると判断する
前記回路（２０）。
【請求項４】
前記回路ドライバ（４５）が、導通性が存在すると判断すると、前記回路ドライバ（４５）が、
電力を受け取ってからの経過時間量及び前記検出器（１０）の一意の識別子を前記複数の検出器から要求する前記第２の回路通信を、前記第１の端部（２５）から送信すること、
前記経過時間量及び前記一意の検出器識別子を含む、前記第２の回路通信に応答する前記第３の回路通信を、前記複数の検出器のそれぞれから受け取ること、及び
前記一意の検出器識別子及び電力を受け取ってからの前記経過時間に基づいて回路トポロジ（２０）をマッピングすること
によって、回路トポロジをマッピングする、請求項３に記載の回路（２０）。
【請求項５】
前記回路ドライバ（４５）が、
前記第１の端部（２５）で前記検出器（１０）から前記第１の回路通信を受け取り、それによって回路短絡があると判断すること、及び
所定の期間内に前記第２の端部（３０）で回路通信を受け取ることまたは電力を検知することができず、それによって回路遮断があると判断すること
によって、起動時に回路不連続点を検出する、請求項３〜４のいずれかに記載の回路（２０）。
【請求項６】
回路不連続点があるとき、前記回路ドライバ（４５）が、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第１の端部（２５）から電力を受け取ってからの前記経過時間に基づいて、前記第１の端部（２５）と前記不連続点との間で前記回路（２０）の第１のセグメントトポロジ（７５）をマッピングすること
によって、前記第１の端部（２５）から前記回路不連続点への前記回路（２０）の前記第１のセグメントトポロジ（７５）をマッピングする、請求項３〜５のいずれかに記載の回路。
【請求項７】
回路不連続点があるとき、前記回路ドライバ（４５）が、
前記第２の電力端（３０）に電力を伝送すること、
前記第２の端部（３０）で第２の検出器（８５）から前記第１の回路通信を受け取り、それによって回路短絡があることを確認する、または所定の期間内に回路通信を受け取ることができず、それによって回路遮断があることを確認することによって前記第２の端部（３０）を通して回路不連続点を検出すること、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第２の端部（３０）から電力を受け取ってからの前記経過時間に基づいて、前記第２の端部（３０）と前記不連続点との間で前記回路（２０）の第２のセグメントトポロジ（８０）をマッピングすること
によって、前記第２の端部（３０）から前記回路不連続点への前記回路（２０）の前記第２のセグメントトポロジ（８０）をマッピングする、請求項３〜６のいずれかに記載の回路。
【請求項８】
前記回路ドライバ（４５）が、前記回路（２０）の前記マッピングした第１のセグメントトポロジ（７５）及びマッピングした第２のセグメントトポロジ（８０）を結合し、前記回路不連続点の場所を決定する、請求項３〜７のいずれかに記載の回路（２０）。
【請求項９】
前記検出器（１０）が、前記回路（２０）に確認応答パルスを発行することによって、起動時に電力を受け取ったことを確認する、請求項３〜８のいずれかに記載の回路（２０）。
【請求項１０】
前記検出器（１０）が、所定の期間内に確認応答パルスを受け取ることができないことによって、起動時に回路遮断があるか走査する、請求項３〜９のいずれかに記載の回路（２０）。
【請求項１１】
回路（２０）に電気的に接続されたハザード検出器（１０）によって起動時に短絡があるか走査する方法であって、
前記回路（２０）が、
第１の端部（２５）及び第２の端部（３０）を含む複数の回路端部、ならびに前記複数の回路端部の中間に接続される前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を含み、
前記検出器（１０）が、
第２のコントローラ（６５）、及び開放時、前記検出器（１０）の下流で電気導通性を遮断する短絡アイソレータスイッチであるスイッチ（７０）を備え、
前記方法が、
電力を受け取ることと、
前記スイッチ（７０）を閉じることと、
１つ以上の回路パラメータを測定することと、
前記１つ以上のパラメータに基づいて、短絡があるかどうかを判断することと
を含み、
短絡があるとき、前記検出器（１０）が、前記短絡を識別する第１の回路通信を送信する、
前記方法。
【請求項１２】
前記検出器（１０）が、電力供給時、
電力を受け取ってからの経過時間量及び一意の検出器識別子を要求する第２の回路通信を受け取ること、及び
前記経過時間量及び前記一意の検出器識別子を含む、前記第２の回路通信に応答する第３の回路通信を送信すること
によって、ステータスを提供する、請求項１１に記載の方法。
【請求項１３】
回路（２０）に電気的に接続された回路ドライバ（４５）によって起動時に回路導通性を走査する方法であって、
前記回路（２０）が、
第１の端部（２５）及び第２の端部（３０）を含む複数の回路端部、ならびに前記複数の回路端部の中間に接続された請求項１１〜１２のいずれかに記載の前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を含み、
前記方法が、
前記第１の端部（２５）に電力を伝送することと、
前記第２の端部（３０）を監視することと
を含み、
前記回路ドライバ（４５）が、前記第２の端部（３０）で電力を検知すると、前記回路ドライバ（４５）が、導通性が存在すると判断する、
前記方法。
【請求項１４】
前記回路ドライバ（４５）が、導通性が存在すると判断すると、前記回路ドライバ（４５）が、
電力を受け取ってからの前記経過時間量及び前記検出器（１０）の前記一意の識別子を前記複数の検出器から要求する前記第２の回路通信を、前記第１の端部（２５）から送信すること、
前記経過時間量及び前記一意の検出器識別子を含む、前記第２の回路通信に応答する前記第３の回路通信を、前記複数の検出器のそれぞれから受け取ること、及び
前記一意の検出器識別子及び電力を受け取ってからの前記経過時間に基づいて回路トポロジ（２０）をマッピングすること
によって、回路トポロジをマッピングする、請求項１３に記載の方法。
【請求項１５】
前記回路ドライバ（４５）が、
前記第１の端部（２５）で前記検出器（１０）から前記第１の回路通信を受け取り、それによって回路短絡があると判断すること、及び
所定の期間内に前記第２の端部（３０）で回路通信を受け取ることまたは電力を検知することができず、それによって回路遮断があると判断すること
によって、起動時に回路不連続点を検出する、請求項１３〜１４のいずれかに記載の方法。
【請求項１６】
回路不連続点があるとき、前記回路ドライバ（４５）が、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第１の端部（２５）から電力を受け取ってからの前記経過時間に基づいて、前記第１の端部（２５）と前記不連続点との間で前記回路（２０）の第１のセグメントトポロジ（７５）をマッピングすること
によって、前記第１の端部（２５）から前記回路不連続点への前記回路（２０）の前記第１のセグメントトポロジ（７５）をマッピングする、請求項１３〜１５のいずれかに記載の方法。
【請求項１７】
回路不連続点が存在すると、前記回路ドライバ（４５）が、
前記第２の電力端（３０）に電力を伝送すること、
前記第２の端部（３０）で第２の検出器（８５）から前記第１の回路通信を受け取り、それによって回路短絡があることを確認する、または所定の期間内に回路通信を受け取ることができず、それによって回路遮断があることを確認することによって前記第２の端部（３０）を通して回路不連続点を検出すること、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第２の端部（３０）から電力を受け取ってからの前記経過時間に基づいて、前記第２の端部（３０）と前記不連続点との間で前記回路（２０）の第２のセグメントトポロジ（８０）をマッピングすること
によって、前記第２の端部（３０）から前記回路不連続点への前記回路（２０）の前記第２のセグメントトポロジ（８０）をマッピングする、請求項１３〜１６のいずれかに記載の方法。
【請求項１８】
前記回路ドライバ（４５）が、前記回路（２０）の前記マッピングした第１のセグメントトポロジ（７５）及びマッピングした第２のセグメントトポロジ（８０）を結合し、前記回路不連続点の場所を決定する、請求項１３〜１７のいずれかに記載の方法。
【請求項１９】
前記検出器（１０）が、前記回路（２０）へ確認応答パルスを発行することによって起動時に電力を受け取ったことを確認する、請求項１３〜１８のいずれかに記載の方法。
【請求項２０】
前記検出器（１０）が、所定の期間内に確認応答パルスを受け取ることができないことによって、起動時に回路遮断があるか走査する、請求項１３〜１９のいずれかに記載の方法。
【発明の詳細な説明】
【技術分野】
【０００１】
例示的な実施形態は、検出器ループの技術に関し、より詳細には検出器ループの起動のためのシステム及び方法に関する。
【背景技術】
【０００２】
多くのループユニット（例えば、１００を超えるループユニット）を有する従来の検出器ループは、起動に何分も要する場合がある。そのプロセスは、各ループユニットを連続して起動し、各ループユニットにループ内に短絡があるか試験させることを伴う場合がある。各ユニットは、一度に１つずつ、始動し、それ自体を識別し、オンボードの短絡アイソレータスイッチを閉じることによって短絡があるか試験する場合がある。比較的に低いループ通信速度のため、これは時間のかかる手順になる場合がある。
【発明の概要】
【課題を解決するための手段】
【０００３】
開示しているのは、回路に電気的に接続されているハザード検出器であり、回路は、第１の端部及び第２の端部を含む複数の回路端部、ならびに複数の回路端部の中間に接続される検出器を含む複数の検出器と、回路がループ回路を形成するように複数の回路端部に接続された回路ドライバであって、第１の端部及び第２の端部に電力を選択的に提供するように１つ以上の電源を制御する第１のコントローラを含む回路ドライバとを含み、検出器は、第２のコントローラと、開放時に検出器の下流で電気導通性を遮断する短絡アイソレータスイッチであるスイッチとを含み、検出器は、電力を受け取ること、スイッチを閉じること、１つ以上の回路パラメータを測定すること、及び１つ以上のパラメータに基づいて短絡があるかどうかを判断することによって、起動時に短絡があるか走査し、短絡があるとき、検出器は、短絡を識別する第１の回路通信を伝送する。
【０００４】
上記の特徴の１つ以上に加えて、または代替として、検出器は、電力供給時、電力を受け取ってからの経過時間量及び一意の検出器識別子を要求する第２の回路通信を受け取ること、ならびに経過時間量及び一意の検出器識別子を含む、第２の回路通信に応答する第３の回路通信を送信することによってステータスを提供する。
【０００５】
さらに開示しているのは、第１の端部及び第２の端部を含む複数の回路端部、及び複数の回路端部の中間に接続された上記に開示した検出器を含む複数の検出器と、回路がループ回路を形成するように複数の回路端部に接続された回路ドライバであって、第１の端部及び第２の端部に電力を選択的に提供するように１つ以上の電源を制御する第１のコントローラを含む、回路ドライバとを含む回路であって、回路ドライバは、第１の端部に電力を伝送すること、第２の端部を監視することによって起動中に回路導通性を走査し、回路ドライバが第２の端部で電力を検知すると、回路ドライバは、導通性が存在すると判断する。
【０００６】
上記の特徴の１つ以上に加えて、または代替として、回路ドライバが、導通性が存在すると判断すると、回路ドライバは、複数の検出器から電力を受け取ってからの経過時間量及び検出器の一意の識別子を要求する第２の回路通信を第１の端部から送信すること、経過時間量及び一意の検出器識別子を含む、第２の回路通信に応答する第３の回路通信を、複数の検出器のそれぞれから受け取ること、ならびに一意の検出器識別子及び電力を受け取ってからの経過時間に基づいて回路トポロジをマッピングすることによって、回路トポロジをマッピングする。
【０００７】
上記の特徴の１つ以上に加えて、または代替として、回路ドライバは、検出器から第１の端部で第１の回路通信を受け取り、それによって回路短絡があると判断する、または所定の期間内に第２の端部で回路通信を受け取るもしくは電力を検出することができず、それによって回路遮断があると判断することによって起動時に回路不連続点を検出する。
【０００８】
上記の特徴の１つ以上に加えて、または代替として、回路不連続点があるとき、回路ドライバは、電力を受け取ってからの経過時間量及び一意の検出器識別子を要求する第２の回路通信を送信すること、経過時間量及び一意の検出器識別子を含む、第２の回路通信に応答する第３の回路通信を受け取ること、及び一意の検出器識別子及び第１の端部から電力を受け取ってからの経過時間に基づいて第１の端部と不連続点との間で回路の第１のセグメントトポロジをマッピングすることによって、第１の端部から回路不連続点への回路の第１のセグメントトポロジをマッピングする。
【０００９】
上記の特徴の１つ以上に加えて、または代替として、回路不連続点があるとき、回路ドライバは、第２の電力端部に電力を伝送すること、第２の検出器から第２の端部で第１の回路通信を受け取り、それによって回路短絡があることを確認し、所定の期間内に回路通信を受け取ることができず、それによって回路遮断があることを確認することによって、第２の端部を通る回路不連続点を検出すること、電力を受け取ってからの経過時間量及び一意の検出器識別子を要求する第２の回路通信を送信すること、経過時間量及び一意の検出器識別子を含む、第２の回路通信に応答する第３の回路通信を受け取ること、ならびに一意の検出器識別子及び第２の端部から電力を受け取ってからの経過時間に基づいて第２の端部と不連続点との間で回路の第２のセグメントトポロジをマッピングすることによって第２の端部から回路不連続点への回路の第２のセグメントトポロジをマッピングする。
【００１０】
上記の特徴の１つ以上に加えてまたは代替として、回路ドライバは、回路のマッピングした第１のセグメントトポロジ及びマッピングした第２のセグメントトポロジを結合し、回路不連続点の場所を決定する。
【００１１】
上記の特徴の１つ以上に加えて、または代替として、検出器は、回路に確認応答パルスを発行することによって、起動時に電力を受け取ったことを確認する。
【００１２】
上記の特徴の１つ以上に加えて、または代替として、検出器は、所定の期間内に確認応答パルスを受け取ることができないことによって、起動時に回路遮断があるか走査する。
【００１３】
さらに開示しているのは、回路に電気的に接続されたハザード検出器によって起動時に短絡があるか走査する方法であって、回路は上記に開示した特徴の１つ以上を含む。さらに開示しているのは、回路に電気的に接続された回路ドライバによって起動時に回路導通性を走査する方法であり、回路は上記に開示した特徴の１つ以上を含む。さらに開示しているのは、回路に電気的に接続されたハザード検出器によって起動時に電力を受け取ったことを確認する方法であり、回路は上記に開示した特徴の１つ以上を含む。なおさらに開示しているのは、回路に電気的に接続された回路ドライバによって導通性を検出する方法であり、回路は上記に開示した特徴の１つ以上を含む。
【００１４】
以下の説明は、決して限定的と見なされるべきではない。添付の図面に関し、同様の要素には同様の番号が付けられている。
【図面の簡単な説明】
【００１５】
【図１】一実施形態に従う検出器回路の構成要素を示す図である。
【図２】一実施形態に従って、起動中に検出器によって実行されるステップを示す図である。
【図３】一実施形態に従って、起動中に検出器によって実行される追加のステップを示す図である。
【図４】一実施形態に従って、起動中にループドライバによって実行されるステップを示す図である。
【図５】一実施形態に従って、起動中にループドライバによって実行される追加のステップを示す図である。
【図６】一実施形態に従って、起動中にループドライバによって実行される追加のステップを示す図である。
【図７】一実施形態に従って、起動中にループドライバによって実行される追加のステップを示す図である。
【図８】一実施形態に従って、起動中にループドライバによって実行される追加のステップを示す図である。
【図９】一実施形態に従って、起動中にループドライバによって実行される追加のステップを示す図である。
【図１０】一実施形態に従って、起動中にループドライバによって実行される追加のステップを示す図である。
【図１１】本願に開示する１つ以上のコントローラと関連付けられた技術的特徴を示す図である。
【発明を実施するための形態】
【００１６】
開示する装置及び方法の１つ以上の実施形態の詳細な説明は、図に関して、限定ではなく例証として本明細書に提示する。
【００１７】
図１を参照すると、開示しているのは、回路２０に電気的に接続されてよいハザード検出器１０である。回路２０は、第１の端部２５及び第２の端部３０を含む複数の回路端部を含んでよい。回路２０は、検出器１０を含む複数の検出器を含んでよい。検出器１０は、複数の回路端部の中間に接続されてよい。
【００１８】
回路２０は、回路がループ回路を形成するように複数の回路端部に接続された回路ドライバ４５を含んでよい。回路２０は、例えば第１の電源５５及び第２の電源６０を含む複数の電源を制御し得る第１のコントローラ５０をさらに含んでよい。第１の電源５５は、第１の端部２５に電力を選択的に提供してよく、第２の電源６０は、第２の端部３０に電力を選択的に提供してよい。代替の実施形態では、電源５５及び６０は同じ電源である場合があり、回路ドライバ４５は、単一の電源から第１の及び第２の出力に独立して、及び所望される場合、スイッチを使用し、同時に電力を伝送する。
【００１９】
対照的に、検出器１０は、第２のコントローラ６５、及び短絡アイソレータスイッチであるスイッチ７０を含んでよい。スイッチ７０は、開放時、検出器１０の下流で電気導通性を遮断する場合がある。
【００２０】
図２を参照すると、検出器１０は、起動時に短絡があるか走査するステップＳ２００を実行してよい。ステップＳ２００は、電力を受け取るステップＳ２０５及びスイッチ７０を閉じるステップＳ２１０を含んでよい。検出器１０は、次いで電圧などの１つ以上の回路パラメータを測定するステップＳ２１５を実行してよい。この測定を用いて、検出器１０は、短絡があるかどうかを判断するステップＳ２２０を実行してよい。短絡があるとき、ステップＳ２２５で、検出器１０は、短絡を識別する第１の回路通信を送信してよい。
【００２１】
図３を参照すると、検出器１０が、起動時に短絡を検出しなかった場合、検出器１０は、その後、第１のコントローラ５０にステータスを提供するステップＳ３００を実行してよい。このステータス要求は、回路の中の他の検出器が起動している間に発生する場合がある。
【００２２】
ステップＳ３００は、例えばカウンタに記録され得るように、電力を受け取ってからの経過時間量を要求する第２の回路通信を受け取るステップＳ３０５を含んでよい。また、要求は、ハードウェアアドレスなどの一意の検出器識別子を求めてもよい。検出器１０は、ステップＳ３１０で、経過時間量及び一意の検出器識別子を含む場合がある、第２の回路通信に応答する第３の回路通信を送信してよい。
【００２３】
図４を参照すると、検出器１０によって実行されるプロセスとは対照的に、起動中、回路ドライバ４５は、回路導通性を走査するステップＳ４００を実行してよい。ステップＳ４００は、第１の端部２５に電力を伝送するステップＳ４０５及び第２の端部３０を監視するステップＳ４１０を含んでよい。回路ドライバ４５が第２の端部３０で電力を検知すると、回路ドライバ４５は、回路導通性が存在すると判断するステップＳ４１５を実行してよい。
【００２４】
図５を参照すると、回路ドライバ４５が、起動中に導通性が存在すると判断すると、回路ドライバ４５は、回路トポロジをマッピングするステップＳ５００を実行してよい。ステップＳ５００は、第１の端部２５から第２の回路通信を送信するステップＳ５０５を含んでよい。示すように、そのような通信は、電力を受け取ってからの経過時間量及び検出器１０の一意の識別子を、複数の検出器から要求してよい。ステップＳ５１０で、回路ドライバ４５は、複数の検出器のそれぞれから、第２の回路通信に応答する第３の回路通信を受け取ってよい。第３の回路通信は、示すように、経過時間量及び一意の検出器識別子を含んでよい。ステップＳ５１５で、回路ドライバ４５は、一意の検出器識別子及び電力を受け取ってからの経過時間に基づいて回路トポロジ２０をマッピングしてよい。
【００２５】
図６を参照すると、回路ドライバ４５は、起動時に回路不連続点を検出するステップＳ６００を実行してよい。ステップＳ６００は、第１の端部２５で検出器１０から第１の回路通信を受け取るステップＳ６０５を含んでよい。このことから、回路ドライバ４５は、回路短絡があると判断するステップＳ６１０を実行してよい。代わりに、ステップＳ６１５で、回路ドライバ４５は、所定の期間内に第２の端部３０で回路通信を受け取ること、または電力を検知することができない場合がある。このことから、回路ドライバ４５は、回路遮断がある場合があると判断するステップＳ６２０を実行してよい。
【００２６】
図７を参照すると、回路不連続点があると、回路ドライバ４５は、第１の端部２５から回路不連続点への回路２０の第１のセグメントトポロジ７５（図１）をマッピングするステップＳ７００を実行してよい。ステップＳ７００は、電力を受け取ってからの経過時間量及び一意の検出器識別子を要求する第２の回路通信を送信するステップＳ７０５を含む。回路ドライバ４５は、次いで経過時間量及び一意の検出器識別子を含む、第２の回路通信に応答する第３の回路通信を受け取るステップＳ７１０を実行してよい。このことから、回路ドライバは、第１の端部２５と不連続点との間で回路２０の第１のセグメントトポロジ７５をマッピングするステップＳ７１５を実行してよい。第１のセグメントのマッピングは、一意の検出器識別子及び第１の端部２５から電力を受け取ってからの経過時間に基づいてよい。
【００２７】
図８を参照すると、第１のセグメントトポロジ７５をマッピングすることに加えて、回路ドライバ４５は、第２の端部３０から回路不連続点への回路２０の第２のセグメントトポロジ８０（図１）をマッピングするステップＳ８００を実行してよい。ステップＳ８００は、第２の端部３０に電力を伝送するステップＳ８１０を含んでよい。第１の端部への電力は、その伝送ルートを介して電力を受け取った検出器が、電力を供給されたままとなり、意図される通りに、つまりハザード検出器として機能し得るため、継続し得ることを理解されたい。
【００２８】
第２の端部３０での電力により、回路ドライバ４５は、回路不連続点を検出するステップＳ８１５を実行してよい。上記のステップＳ６００と同様に、ステップＳ８１５は、第２の端部３０で第２の検出器８５（図１）から第１の回路通信を受け取るステップＳ８２０を含んでもよい。ステップＳ８２０に続いて、回路ドライバ４５は、回路短絡があることを確認するステップＳ８２５を実行してよい。代わりに、ステップＳ８１５は、回路ドライバ４５が、所定の期間内に回路通信を受け取ることができないステップＳ８３０を含んでもよい。このことから、回路ドライバ４５は、回路遮断があることを確認するステップＳ８３５を実行してよい。
【００２９】
第２の端部３０で不連続点を確認した後、回路ドライバ４５は、電力を受け取ってからの経過時間量及び一意の検出器識別子を要求する第２の回路通信を送信するステップＳ８４０を実行してよい。回路ドライバ４５は、次いで第２の回路通信に応答する第３の回路通信を受け取るステップＳ８４５を実行してよい。上述のように、そのような通信は、経過時間量及び一意の検出器識別子を含んでよい。
【００３０】
回路ドライバ４５は、次いで第２の端部３０と不連続点との間で回路２０の第２のセグメントトポロジ８０をマッピングするステップＳ８５０を実行してよい。上述のように、マッピングは、一意の検出器識別子及び第２の端部３０から電力を受け取ってからの経過時間に基づいてよい。マッピングされたトロポジにより、回路ドライバ４５は、回路２０のマッピングした第１のセグメントトポロジ７５及びマッピングした第２のセグメントトポロジ８０を結合することによって回路不連続点の場所を決定してよい。
【００３１】
図９を参照すると、一実施形態では、ハザード検出器１０は、起動時に電力を受け取ったことを確認するステップＳ９００を実行する。ステップＳ９００は、電力を受け取るステップＳ９０５及び起動時に回路２０に単一の確認応答パルスを発行するステップＳ９１０を含む。パルスは、回路ドライバ４５に、検出器１０が電力を供給されている旨の確認を提供することを目的とする。
【００３２】
図１０では対照的に、回路ドライバ４５は、起動時に回路導通性を検出するステップＳ１０００を実行する。ステップＳ１０００は、第１の端部２５に電力を伝送するステップＳ１００５及び複数の検出器から確認応答パルスを受け取るために監視するステップＳ１０１０を含む。ステップＳ１０１５で、回路ドライバ４５は、所定の期間内に確認応答パルスを受け取ることができないことに基づいて、導通性があるかどうかを判断する。
【００３３】
上述の開示した実施形態に図９及び図１０の特徴を加えることによって、ループドライバは、システム内に開回路があるかどうかをより迅速に判断し得る。すなわち、検出器は、検出器からのアクティブフィードバックに基づいて短絡があるかどうかを判断できる一方、上記実施形態でループドライバに対する応答がないことは、ループドライバが開回路があると判断できるようにするステップである。しかしながら、応答がないことによって、ループドライバが、回路に遮断が存在する旨の判断を下す前に相対的に長い待機が生じる場合がある。図９及び図１０により、ループドライバは、例えば回路内の各デバイスの連続的な電源投入を表す確認応答パルスを受け取ることができないことによって、開回路があるかどうかをはるかに迅速に判断できる場合がある。この解決策は、本明細書に提供される他の解決策よりもより情報量が少ないが、より迅速であり得る。
【００３４】
上記に開示した実施形態を結合することは、ステップＳ２０５を「電力を受け取り、パルスを発すること」に変更することによって達成できることを理解されたい。同様に、ステップＳ６１５は、「回路通信を受け取ることができないこと、所定期間内にパルスを受け取ることができないこと、または電力を検知することができないこと」を列挙するであろう。そのような変更形態は、上記に開示した実施形態の中で図９及び図１０を包含するであろう。
【００３５】
ここで図１１を参照すると、コントローラの追加の特徴が簡略に開示されている。上記に示したように、コントローラは、電気通信ネットワーク１１５０の１つの形と見なし得る回路を介して通信する第１のコントローラ５０及び第２のコントローラ６５を含んでよい。複数のコントローラは、実質的に同じ技術的特徴を有する場合がある。したがって、複数のコントローラの特徴は、以下では一般的にコントローラ５０と呼ばれる場合がある第１のコントローラ５０に関して以下に開示されてよい。
【００３６】
コントローラ５０は、特定用途向け集積回路（ＡＳＩＣ）、抵抗器などの１つ以上の基本回路構成部品を有する電子回路、１つ以上のソフトウェアアルゴリズムまたはファームウェアアルゴリズム及びプログラムを実行し、１つ以上のルックアップテーブルで動的に収集または配置されてよい関連データを含む電子プロセッサ（共用、専用、またはグループ）１１００及びメモリ１１０５、１つ以上のオペアンプを含む組み合わせ論理回路、及び／または説明する機能を提供する他の適切なインタフェース及び構成部品をさらに含んでよい処理回路網を含むコンピューティングデバイスであってよい。例えば、プロセッサ１１００は、メモリ１１０５に格納されたデータを処理し、多様な制御アルゴリズム、診断などでデータを利用する。
【００３７】
コントローラ５０は、プロセッサ１１００及びメモリ１１０５に加えて、複数のコントローラの間で通信するためにオンボード（ローカル）インタフェースを介して通信で結合される１つ以上の入力及び／または出力（Ｉ／Ｏ）装置インタフェース（複数可）１１１０をさらに含んでよい。オンボードインタフェースは、例えば、（デバイス間の通信用の）制御バス１１２０、（物理アドレス指定用の）アドレスバス１１２５、及び（データ転送用の）データバス１１３０を含む、オンボードシステムバス１１１５を含んでよいが、これに限定されるものではない。すなわち、システムバス１１１５によってプロセッサ１１００と、メモリ１１０５と、Ｉ／Ｏ接続１１１０との間の電子通信が可能になる。また、Ｉ／Ｏ接続１１１０は、有線接続及び／または無線接続を含んでもよい。オンボードインタフェースは、電子通信を可能にするために、コントローラ、バッファ（キャッシュ）、ドライバ、リピータ、及び受信機などの、簡略にするために省略されている追加の要素を含んでもよい。
【００３８】
動作中、コントローラ５０に搭載されたプロセッサ１１００は、メモリ１１０５内に格納されたソフトウェアアルゴリズムを実行して、メモリ１１０５との間でデータを通信し、一般的にソフトウェアアルゴリズムに従って演算を制御するように構成されてよい。メモリ１１０５内のアルゴリズムは、全部または一部を問わず、プロセッサ１１００によって読み取られ、おそらくプロセッサ１１００内でバッファに入れられ、次いで実行されてよい。プロセッサ１１００は、アルゴリズム、特にメモリ１１０５に格納されたアルゴリズムを実行するためのハードウェアデバイスを含んでよい。プロセッサ１１００は、特注のもしくは市販のプロセッサ１１００、中央演算処理装置（ＣＰＵ）、コンピューティングデバイスと関連付けられたいくつかのプロセッサの中の補助プロセッサ、（マイクロチップもしくはチップセットの形の）半導体ベースのマイクロプロセッサ、または概してソフトウェアアルゴリズムを実行するための任意のそのようなデバイスであってよい。
【００３９】
コントローラ５０に搭載されたメモリ１１０５は、揮発性記憶素子（例えば、ランダムアクセスメモリ（ＤＲＡＭ、ＳＲＡＭ、ＳＤＲＡＭ、ＶＲＡＭなどのＲＡＭ））、及び／または不揮発性記憶素子（例えば、ＲＯＭ、ハードドライブ、テープ、ＣＤ−ＲＯＭなど）のうちの任意の１つまたは組み合わせを含んでよい。さらに、メモリ１１０５は、電子的、磁気的、光学的、及び／または他のタイプの記憶媒体を組み込んでよい。また、メモリ１１０５は、多様な構成部品が互いから遠隔に位置するが、プロセッサ１１００によってアクセスされ得る分散アーキテクチャを有してもよい。
【００４０】
コントローラ５０に搭載されたメモリ１１０５内のソフトウェアアルゴリズムは、１つ以上の別々のプログラムを含んでよく、そのそれぞれが論理関数を実装するための実行可能命令の順序付けされたリストを含む。ソフトウェアアルゴリズムとして具現されたシステム構成要素は、ソースプログラム、実行可能プログラム（オブジェクトコード）、スクリプト、または実行される命令のセットを含む任意の他のエンティティとして解釈され得る。ソースプログラムとして構築されるとき、ソフトウェアアルゴリズムは、メモリ内に含まれる場合もあれば、含まれない場合もあるコンパイラ、アセンブラ、インタプリタなどを介して変換されてよい。
【００４１】
システムＩ／Ｏインタフェース（複数可）１１１０、有線インタフェース、及び／または無線インタフェースを使用し、コントローラ５０に結合されてよい入出力（Ｉ／Ｏ）装置のいくつかは、ここで識別されるが、簡潔にするためにその図は省略されるものとする。そのようなＩ／Ｏデバイスは、（ｉ）キーボード、マウス、スキャナ、マイク、カメラ、近接デバイスなどの入力装置、（ｉｉ）プリンタ、ディスプレイなどの出力装置、及び（ｉｉｉ）変調器／復調器（別のデバイス、システム、またはネットワークにアクセスするためのモデム）、無線周波数（ＲＦ）または他のトランシーバ、電話インタフェース、ブリッジ、ルータなどの入力と出力の両方として通信するデバイスを含むが、これに限定されるものではない。
【００４２】
さらに、無線接続を使用し、コントローラ５０は、電子狭域通信（ＳＲＣ）プロトコルを適用することによってネットワーク５４を介して通信してよい。そのようなプロトコルは、ローカルエリアネットワーク（ＬＡＮ）プロトコル及び／またはプライベートエリアネットワーク（ＰＡＮ）プロトコルを含んでよい。ＬＡＮプロトコルは、米国電気電子学会、つまりＩＥＥＥのセクション８０２．１１標準に基づいた技術であるＷｉ−Ｆｉ技術を含む。ＰＡＮプロトコルは、例えば、短波長の電波を使用し、短距離でデータを交換するためにＢｌｕｅｔｏｏｔｈ  Ｓｐｅｃｉａｌ  Ｉｎｔｅｒｅｓｔ  Ｇｒｏｕｐ（ＳＩＧ）によって設計及び販売される無線技術標準である、Ｂｌｕｅｔｏｏｔｈ  Ｌｏｗ  Ｅｎｅｒｇｙ（ＢＴＬＥ）を含む。また、ＰＡＮプロトコルは、米国電気電子学会（ＩＥＥＥ）のセクション８０２．１５．４プロトコルに基づいた技術であるＺｉｇｂｅｅも含む。より具体的には、Ｚｉｇｂｅｅは、低出力低帯域幅のニーズ用の小型低出力デジタル無線を有するパーソナルエリアネットワークを作成するために使用される一組の高水準通信プロトコルを表し、無線接続を使用する小規模プロジェクトに最適である。そのような無線接続１１３０は、ＲＦＩＤスマートカード上の集積チップ（ＩＣ）と通信するために使用される別のＳＲＣ技術である無線周波数識別（ＲＦＩＤ）技術を含んでよい。
【００４３】
コントローラ５０の上記に開示したアーキテクチャ、機能、及び／またはハードウェア動作は、ソフトウェアアルゴリズムを使用し、実装し得ることに留意されたい。ソフトウェアアルゴリズムでは、そのような機能は、モジュール、セグメント、または指定された論理関数（複数可）を実装するための１つ以上の実行可能命令を含むコードの部分として表されてよい。また、そのようなモジュールが、必ずしも任意の特定の順序で実行されなくてもよい、及び／またはまったく実行されなくてもよいことにも留意されたい。
【００４４】
また、本明細書に説明するコントローラ５０の機能のいずれも、コンピュータベースのシステム、プロセッサを含むシステム、または命令実行システム、装置、もしくはデバイスから命令をフェッチし、命令を実行できる他のシステムなどの命令実行システム、装置、もしくはデバイスによる使用のために、またはそれらと関連して、任意の非一過性コンピュータ可読媒体で具現できることにも留意されたい。本書の文脈では、「コンピュータ可読媒体」は、命令実行システム、装置、もしくはデバイスによる使用のために、またはそれらと関連してプログラムを含む、格納する、通信する、伝播する、及び／またはトランスポートする。
【００４５】
さらに、コントローラ５０のコンピュータ可読媒体は、多様な形式のコンピュータ可読メモリ１１０５を含んでもよい。例えば、コンピュータ可読メモリ１１０５は、１つ以上の半導体を含んでよく、通信及び／または記憶技術が電子的、磁気的、光学的、電磁的、または赤外線のうちの１つ以上であってよい装置またはデバイスに一体であってよい。簡略にするために図が省略されているコンピュータ可読媒体のより具体的な例（包括的ではないリスト）は、ポータブルコンピュータディスケット（磁気）、ランダムアクセスメモリ（ＲＡＭ）（電子）、読み取り専用メモリ（ＲＯＭ）（電子）、消去可能プログラマブル読み取り専用メモリ（ＥＰＲＯＭまたはフラッシュメモリ）（電子）、及びポータブルコンパクトディスク読み取り専用メモリ（ＣＤＲＯＭ）（光学）を含む。
【００４６】
さらに、コントローラの上述の分散システムは、限定的であることを意図していない。一実施形態では、ネットワークの同じ側のコントローラのそれぞれは、その間にネットワークが必要とされないように同じデバイスであってよい。一実施形態では、コントローラの分散システムの代わりに、単一のオンサイトコントローラが提供される。一実施形態では、ネットワークの同じ側のコントローラは、クラウドコンピューティング構成を使用し、ワールドワイドウェブ上に位置するサーバによって制御される。一実施形態では、分散コントローラネットワークは、無線ネットワークが必要でないように、すべての電気通信サービスのために結線される。一実施形態では、ネットワーク輻輳を最小限に抑えるために、そのようなサービス間で自動的に切り替わる冗長な無線ネットワーク及び有線ネットワークが利用される。
【００４７】
「約」という用語は、出願時に利用可能な装置に基づく特定の量の測定に関連する誤差の程度を含むことを意図している。
【００４８】
本明細書で使用する専門用語は、特定の実施形態を説明するためだけであり、本開示を限定することを意図していない。本明細書で使用するように、単数形の「ａ」、「ａｎ」及び「ｔｈｅ」は、文脈が別段に明確に示さない限り、複数形も含むことを意図している。用語「備える（ｃｏｍｐｒｉｓｅｓ）」及び／または「備える（ｃｏｍｐｒｉｓｉｎｇ）」は、本明細書で使用されるとき、記載される特徴、整数、ステップ、動作、要素、及び／または構成要素の存在を指定するが、１つ以上の他の特徴、整数、ステップ、動作、要素、構成要素、及び／またはそのグループの存在または追加を除外しないことがさらに理解されよう。
【００４９】
本開示は例示的な１つまたは複数の実施形態に関して説明されているが、本開示の範囲から逸脱することなく、多様な変更が加えられ得、均等物がその要素の代わりとなり得ることが当業者によって理解されるであろう。さらに、本開示の必須の範囲から逸脱することなく、特定の状況または材料を本開示の教示に適合させるために多くの修正が加えられ得る。したがって、本開示は、本開示を実施するために企図された最良の態様として開示された特定の実施形態に限定されるのではなく、本開示は、特許請求の範囲に入るすべての実施形態を含むことが意図されている。
【図１】
2021534475.tif 000003
【図２】
2021534475.tif 000004
【図３】
2021534475.tif 000005
【図４】
2021534475.tif 000006
【図５】
2021534475.tif 000007
【図６】
2021534475.tif 000008
【図７】
2021534475.tif 000009
【図８】
2021534475.tif 000010
【図９】
2021534475.tif 000011
【図１０】
2021534475.tif 000012
【図１１】
2021534475.tif 000013
【手続補正書】
【提出日】令和3年6月9日(2021.6.9)
【手続補正１】
【補正対象書類名】特許請求の範囲
【補正対象項目名】全文
【補正方法】変更
【補正の内容】
【特許請求の範囲】
【請求項１】
回路（２０）に電気的に接続されたハザード検出器（１０）であって、
前記回路（２０）が、
第１の端部（２５）及び第２の端部（３０）を含む複数の回路端部、ならびに前記複数の回路端部の中間に接続される前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を含み、
前記検出器（１０）が、
第２のコントローラ（６５）、及び開放時、前記検出器（１０）の下流で電気導通性を遮断する短絡アイソレータスイッチであるスイッチ（７０）を備え、前記検出器（１０）が、
電力を受け取ること、
前記スイッチ（７０）を閉じること、
１つ以上の回路パラメータを測定すること、及び
前記１つ以上のパラメータに基づいて、短絡があるかどうかを判断する
ことによって起動時に短絡があるか走査し、
短絡があるとき、前記検出器（１０）が、前記短絡を識別する第１の回路通信を送信する、
前記ハザード検出器（１０）。
【請求項２】
前記検出器（１０）が、電力供給時、
電力を受け取ってからの経過時間量及び一意の検出器識別子を要求する第２の回路通信を受け取ること、及び
前記経過時間量及び前記一意の検出器識別子を含む、前記第２の回路通信に応答する第３の回路通信を送信すること
によって、ステータスを提供する、請求項１に記載の検出器（１０）。
【請求項３】
回路（２０）であって、
第１の端部（２５）及び第２の端部（３０）を含む複数の回路端部、ならびに前記複数の回路端部の中間に接続された請求項１または２のいずれかに記載の前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を備え、
前記回路ドライバ（４５）が、
前記第１の端部（２５）に電力を伝送すること、
前記第２の端部（３０）を監視すること
によって、起動中に回路導通性を走査し、
前記回路ドライバ（４５）が、前記第２の端部（３０）で電力を検知すると、前記回路ドライバ（４５）が、導通性が存在すると判断する
前記回路（２０）。
【請求項４】
前記回路ドライバ（４５）が、導通性が存在すると判断すると、前記回路ドライバ（４５）が、
電力を受け取ってからの経過時間量及び前記検出器（１０）の一意の識別子を前記複数の検出器から要求する前記第２の回路通信を、前記第１の端部（２５）から送信すること、
前記経過時間量及び前記一意の検出器識別子を含む、前記第２の回路通信に応答する前記第３の回路通信を、前記複数の検出器のそれぞれから受け取ること、及び
前記一意の検出器識別子及び電力を受け取ってからの前記経過時間に基づいて回路トポロジ（２０）をマッピングすること
によって、回路トポロジをマッピングする、請求項３に記載の回路（２０）。
【請求項５】
前記回路ドライバ（４５）が、
前記第１の端部（２５）で前記検出器（１０）から前記第１の回路通信を受け取り、それによって回路短絡があると判断すること、及び
所定の期間内に前記第２の端部（３０）で回路通信を受け取ることまたは電力を検知することができず、それによって回路遮断があると判断すること
によって、起動時に回路不連続点を検出する、請求項３〜４のいずれかに記載の回路（２０）。
【請求項６】
回路不連続点があるとき、前記回路ドライバ（４５）が、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第１の端部（２５）から電力を受け取ってからの前記経過時間に基づいて、前記第１の端部（２５）と前記不連続点との間で前記回路（２０）の第１のセグメントトポロジ（７５）をマッピングすること
によって、前記第１の端部（２５）から前記回路不連続点への前記回路（２０）の前記第１のセグメントトポロジ（７５）をマッピングする、請求項３〜５のいずれかに記載の回路。
【請求項７】
回路不連続点があるとき、前記回路ドライバ（４５）が、
前記第２の端部（３０）に電力を伝送すること、
前記第２の端部（３０）で第２の検出器（８５）から前記第１の回路通信を受け取り、それによって回路短絡があることを確認する、または所定の期間内に回路通信を受け取ることができず、それによって回路遮断があることを確認することによって前記第２の端部（３０）を通して回路不連続点を検出すること、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第２の端部（３０）から電力を受け取ってからの前記経過時間に基づいて、前記第２の端部（３０）と前記不連続点との間で前記回路（２０）の第２のセグメントトポロジ（８０）をマッピングすること
によって、前記第２の端部（３０）から前記回路不連続点への前記回路（２０）の前記第２のセグメントトポロジ（８０）をマッピングする、請求項３〜６のいずれかに記載の回路。
【請求項８】
前記回路ドライバ（４５）が、前記回路（２０）の前記マッピングした第１のセグメントトポロジ（７５）及びマッピングした第２のセグメントトポロジ（８０）を結合し、前記回路不連続点の場所を決定する、請求項３〜７のいずれかに記載の回路（２０）。
【請求項９】
前記検出器（１０）が、前記回路（２０）に確認応答パルスを発行することによって、起動時に電力を受け取ったことを確認する、請求項３〜８のいずれかに記載の回路（２０）。
【請求項１０】
前記検出器（１０）が、所定の期間内に確認応答パルスを受け取ることができないことによって、起動時に回路遮断があるか走査する、請求項３〜９のいずれかに記載の回路（２０）。
【請求項１１】
回路（２０）に電気的に接続されたハザード検出器（１０）によって起動時に短絡があるか走査する方法であって、
前記回路（２０）が、
第１の端部（２５）及び第２の端部（３０）を含む複数の回路端部、ならびに前記複数の回路端部の中間に接続される前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を含み、
前記検出器（１０）が、
第２のコントローラ（６５）、及び開放時、前記検出器（１０）の下流で電気導通性を遮断する短絡アイソレータスイッチであるスイッチ（７０）を備え、
前記方法が、
電力を受け取ることと、
前記スイッチ（７０）を閉じることと、
１つ以上の回路パラメータを測定することと、
前記１つ以上のパラメータに基づいて、短絡があるかどうかを判断することと
を含み、
短絡があるとき、前記検出器（１０）が、前記短絡を識別する第１の回路通信を送信する、
前記方法。
【請求項１２】
前記検出器（１０）が、電力供給時、
電力を受け取ってからの経過時間量及び一意の検出器識別子を要求する第２の回路通信を受け取ること、及び
前記経過時間量及び前記一意の検出器識別子を含む、前記第２の回路通信に応答する第３の回路通信を送信すること
によって、ステータスを提供する、請求項１１に記載の方法。
【請求項１３】
回路（２０）に電気的に接続された回路ドライバ（４５）によって起動時に回路導通性を走査する方法であって、
前記回路（２０）が、
第１の端部（２５）及び第２の端部（３０）を含む複数の回路端部、ならびに前記複数の回路端部の中間に接続された請求項１１〜１２のいずれかに記載の前記検出器（１０）を含む複数の検出器と、
前記回路がループ回路を形成するように前記複数の回路端部に接続された回路ドライバ（４５）であって、前記第１の端部（２５）及び前記第２の端部（３０）に電力を選択的に提供するように１つ以上の電源を制御する第１のコントローラ（５０）を含む、前記回路ドライバ（４５）と
を含み、
前記方法が、
前記第１の端部（２５）に電力を伝送することと、
前記第２の端部（３０）を監視することと
を含み、
前記回路ドライバ（４５）が、前記第２の端部（３０）で電力を検知すると、前記回路ドライバ（４５）が、導通性が存在すると判断する、
前記方法。
【請求項１４】
前記回路ドライバ（４５）が、導通性が存在すると判断すると、前記回路ドライバ（４５）が、
電力を受け取ってからの前記経過時間量及び前記検出器（１０）の前記一意の識別子を前記複数の検出器から要求する前記第２の回路通信を、前記第１の端部（２５）から送信すること、
前記経過時間量及び前記一意の検出器識別子を含む、前記第２の回路通信に応答する前記第３の回路通信を、前記複数の検出器のそれぞれから受け取ること、及び
前記一意の検出器識別子及び電力を受け取ってからの前記経過時間に基づいて回路トポロジ（２０）をマッピングすること
によって、回路トポロジをマッピングする、請求項１３に記載の方法。
【請求項１５】
前記回路ドライバ（４５）が、
前記第１の端部（２５）で前記検出器（１０）から前記第１の回路通信を受け取り、それによって回路短絡があると判断すること、及び
所定の期間内に前記第２の端部（３０）で回路通信を受け取ることまたは電力を検知することができず、それによって回路遮断があると判断すること
によって、起動時に回路不連続点を検出する、請求項１３〜１４のいずれかに記載の方法。
【請求項１６】
回路不連続点があるとき、前記回路ドライバ（４５）が、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第１の端部（２５）から電力を受け取ってからの前記経過時間に基づいて、前記第１の端部（２５）と前記不連続点との間で前記回路（２０）の第１のセグメントトポロジ（７５）をマッピングすること
によって、前記第１の端部（２５）から前記回路不連続点への前記回路（２０）の前記第１のセグメントトポロジ（７５）をマッピングする、請求項１３〜１５のいずれかに記載の方法。
【請求項１７】
回路不連続点が存在すると、前記回路ドライバ（４５）が、
前記第２の端部（３０）に電力を伝送すること、
前記第２の端部（３０）で第２の検出器（８５）から前記第１の回路通信を受け取り、それによって回路短絡があることを確認する、または所定の期間内に回路通信を受け取ることができず、それによって回路遮断があることを確認することによって前記第２の端部（３０）を通して回路不連続点を検出すること、
電力を受け取ってからの前記経過時間量及び前記一意の検出器識別子を要求する前記第２の回路通信を送信すること、
前記経過時間量及び前記一意の検出器識別子を含む、前記第２の回路通信に応答する前記第３の回路通信を受け取ること、及び
前記一意の検出器識別子及び前記第２の端部（３０）から電力を受け取ってからの前記経過時間に基づいて、前記第２の端部（３０）と前記不連続点との間で前記回路（２０）の第２のセグメントトポロジ（８０）をマッピングすること
によって、前記第２の端部（３０）から前記回路不連続点への前記回路（２０）の前記第２のセグメントトポロジ（８０）をマッピングする、請求項１３〜１６のいずれかに記載の方法。
【請求項１８】
前記回路ドライバ（４５）が、前記回路（２０）の前記マッピングした第１のセグメントトポロジ（７５）及びマッピングした第２のセグメントトポロジ（８０）を結合し、前記回路不連続点の場所を決定する、請求項１３〜１７のいずれかに記載の方法。
【請求項１９】
前記検出器（１０）が、前記回路（２０）へ確認応答パルスを発行することによって起動時に電力を受け取ったことを確認する、請求項１３〜１８のいずれかに記載の方法。
【請求項２０】
前記検出器（１０）が、所定の期間内に確認応答パルスを受け取ることができないことによって、起動時に回路遮断があるか走査する、請求項１３〜１９のいずれかに記載の方法。
【国際調査報告】
2021534475.tif 000014
2021534475.tif 000015
2021534475.tif 000016